(57)【要約】【課題】蓋の開閉しないで容易に収納したものが取り出せる釣り具ケースを提供することである。【解決手段】本願の釣り具ケース１は、ゴム、合成樹脂等の可撓性を有する材料で形成し、上面２ａと側面２ｂと底面２ｃが一体的に形成され、内部に収納部Ｓを有するケース本体２で形成され、上面２ａに収納部Ｓに通じる開口部３が形成されている。ケース本体２は、上面２ａと側面２ｂと底面２ｃのそれぞれが薄肉状に形成され周囲を指Ｙで押すと容易に変形し潰れるようになっており、側面２ｂを押圧すると、上面２ａの開口部３が開くと共に底面がより上方に突出して内部の物が持ち上げられるため収納したものが容易に取り出せる。【選択図】    図３
2010233556.tif 000002
【特許請求の範囲】
【請求項１】
可撓性を有する材料で内部に収納部を有するように形成したケース本体の上面を上方に突出する湾曲状に形成し、前記上面に前記収納部に通じる切開状の開口部を形成しことを特徴とする釣り具ケース。
【請求項２】
ケース本体の底面を上方に突出する湾曲状に形成しことを特徴とする請求項１に記載の釣り具ケース。
【請求項３】
ケース本体の底面に他の釣り具に着脱可能に止着する係合部材を設けたことを特徴とする請求項１又は２に記載の釣り具ケース。
【発明の詳細な説明】
【技術分野】
【０００１】
本発明は、釣り用小物を収納する釣り具ケースに関する。
【背景技術】
【０００２】
従来から釣りには釣り針、重り、浮子等の釣り用仕掛け等の釣り具を収納するために様々な釣り具ケースが使用されている。
例えば、特許文献１のように、蓋付きのケース内に重り保持部を設けてケース内にて重りを動かないように保持し、必要に応じて蓋を開いて重りを取り出し可能にした釣り用重り収納ケースが紹介されている。
しかし、釣りをしている最中に重りを取り出すための蓋の開閉操作をすることは煩わしく、あわてると折角取り出した重りを蓋の開閉で落としてしまう虞がある。
【特許文献１】特開２００１−１０３８９５号公報
【発明の概要】
【発明が解決しようとする課題】
【０００３】
解決しようとする問題点は、釣り具ケースの蓋の開閉操作は煩わしく、あわてると折角取り出したものを蓋の開閉で落としてしまう虞があることである。
【０００４】
本発明の目的は前記欠点に鑑み、蓋の開閉をしないで容易に収納したものが取り出せる釣り具ケースを提供することである。
【課題を解決するための手段】
【０００５】
本発明の請求項１は、可撓性を有する材料で内部に収納部を有するように形成したケース本体の上面を上方に突出する湾曲状に形成し、前記上面に前記収納部に通じる切開状の開口部を形成しことを要旨とするものである。
本発明の請求項２は、ケース本体の底面を上方に突出する湾曲状に形成したことを要旨とするものである。
本発明の請求項３は、ケース本体の底面に他の釣り具に着脱可能に止着する係合部材を設けたことを要旨とするものである。
【発明の効果】
【０００６】
本発明の請求項１によると、ケース本体を変形して開口部を開くことができるため開口部を開いて収納したものを容易に取り出すことができる。
本発明の請求項２によると、ケース本体を変形して開口部を開くと底面が収納部側に突出するように変形し、収納したものが開口部に近づくため開口部から収納したものが取り出しやすくなる。
本発明の請求項３によると、他の釣り具に取り付けて用途に応じた使用ができる。
【産業上の利用可能性】
【０００７】
本発明は釣り具ケース全般に利用できる。
【図面の簡単な説明】
【０００８】
【図１】図１は、釣り具ケースの全体図である。
【図２】図２は、開口部を開いた釣り具ケースの全体図である。
【図３】図３は、釣り具ケースの断面図である。
【図４】図４は、開口を開いた釣り具ケースの断面図である。
【図５】図５は、手袋に取り付けた斜視図である。
【図６】図６は、釣り用ベストに取り付けた正面図である。
【発明を実施するための最良の形態】
【０００９】
以下、図示の実施例によって本発明を説明すると、図１から図４は本願の釣り具ケースで、図１は釣り具ケースの全体図、図２は開口部を開いた釣り具ケースの全体図、図３は釣り具ケースの断面図、図４は開口を開いた釣り具ケースの断面図、図５および図６は本願の釣り具ケースを取り付けた使用例で、図５は手袋に取り付けた斜視図、図６は釣り用ベストに取り付けた正面図である。
【００１０】
本願の釣り具ケース１は、ゴム、合成樹脂等の可撓性を有する材料で形成し、上面２ａと側面２ｂと底面２ｃが一体的に形成され、内部に収納部Ｓを有するケース本体２で形成され、上面２ａに収納部Ｓに通じる開口部３が形成されている。
なお、上面２ａと側面２ｂと底面２ｃは複数の部材で各部を貼り合わせて形成さてもよい。
【００１１】
ケース本体２は、上面２ａと側面２ｂと底面２ｃのそれぞれが薄肉状に形成され周囲を指Ｙで押すと容易に変形し潰れるようになっている。
上面２ａと側面２ｂは外方に凸状に膨らむように湾曲して形成され、指Ｙで押して潰しても指Ｙを離し負荷がない状態にすると元の形状に復元するようになっている。
【００１２】
ケース本体２の上面２ａには、切開状の開口部３が形成され、開口部３は上面２ａを横切る様に形成され、開口縁が向かい合って同じ幅で近接され、平面視で直線状に延びる切開部３ａとこの切開部３ａの両側に円形状に広がる端部３ｂ、３ｂが形成されている。
【００１３】
ケース本体２の底面２ｃは、収納部Ｓの方向（上方）に向かってその中央側が凸状になるように湾曲して形成され、その下面側（接地面側）に面貼着テープから成る係合部材４が取り付けられている。
【００１４】
このケース本体２に重りなどの釣り具Ｔを収納する時は、ケース本体２の側面２ｂを指Ｙで両側から押圧すると、外方に凸状の側面２ｂが収納部Ｓ方向（内方）に凸状になるように変形しながら上面２ａに影響して上面２ａが上方により凸状に膨らむように変形し、開口部３の切開部３ａ広げられて開口部３が開口される。
この時に切開部３ａの両側の円形状の端部３ｂ、３ｂが開口部３の両側の破損を防止するようになっている。
【００１５】
また、ケース本体２の側面２ｂを指Ｙで両側から押圧すると上面２ａの変形と同時に底面２ｃが変形する。
底面２ｃは、収納部Ｓの方向（上方）に向かって凸状になるように湾曲して形成されているため、底面２ｃの変形で負荷がない状態の凸状の湾曲がさらに上方の押し上げられてその中央側がより大きく収納部Ｓの方向（上方）へ大きく突出される。
【００１６】
この底面２ｃの変形によって、収納部Ｓに収納されたもの（釣り具Ｔ）が開いた開口部３に近づけられるように持ち上げられ、収納したもの（釣り具Ｔ）が容易に取り出せるようになる。
【００１７】
また、ケース本体２の側面２ｂを押圧した指Ｙを離すと、負荷が無くなった側面２ｂが元の形状に復元すると共に、他に上面２ａと底面２ｃの負荷もなくなり元の形状に復元し、上面２ａの開口３は閉塞され、底面２ｃの復元によって収納したもの（釣り具Ｔ）が開口から下方へ離される。
したがって、ケース本体２の開口部３を片手で容易に開くことができ、指Ｙを離して負荷を無くすだけで蓋を閉める動作なしで、開口部３を閉じることができるため収納部Ｓに収納したもの（釣り具Ｔ）を容易に取り出すことができ、自然に開口部３が閉じるため収納したものの脱落が防止できる。
【００１８】
また、ケース本体２の底面２ｃの下面側（接地面側）に面貼着テープ（雄テープ）から成る係合部材４が取り付けられているため、相手材に面貼着テープ（雄テープ）から成る係合部材Ｓ（雌テープ）を取り付けておけば容易にース本体２を装着して使用することができる。
【００１９】
例えば、図５に示す釣り用手袋Ｇに取り付けたり、図６に示すように釣り用ベストＦに取り付けることで釣りの最中によりスムーズにケース本体２内から釣り具Ｔを取り出すことができる。
ケース本体２をさらに他の物に取り付けても良く、係合部材４およびこれと係合する係合部材Ｓは、ホック等の面貼着テープの他の係合具を用いてもよい。
【符号の説明】
【００２０】
１  釣り具ケース
２  ケース本体
３  開口部
４  係合部材
【図１】
2010233556.tif 000003
【図２】
2010233556.tif 000004
【図３】
2010233556.tif 000005
【図４】
2010233556.tif 000006
【図５】
2010233556.tif 000007
【図６】
2010233556.tif 000008